(57)【特許請求の範囲】
【請求項１】
腕時計に取り付ける無線通信装置であって、
前記腕時計の時計本体の一方から延びる第１時計バンドに取り付ける第１取り付け部と、
前記時計本体の他方から延びる第２時計バンドに取り付ける第２取り付け部と、
前記第１取り付け部に設けられた報知部と、
前記第１取り付け部又は前記第２取り付け部に設けられた通信部と、
前記第１取り付け部又は前記第２取り付け部に設けられ、外部からの着信信号を前記通信部を用いて受信して前記報知部から報知する制御部と、
前記第２取り付け部に設けられた充電池と、
前記第１時計バンドと前記第２時計バンドの下面に配するものであって、かつ、前記通信部のアンテナを有する帯状のフレキシブルプリント基板と、
を有する無線通信装置。
【請求項２】
前記第１取り付け部が前記制御部を有し、
前記フレキシブルプリント基板は、前記第１取り付け部の前記制御部と前記第２取り付け部の前記充電池とを電気的に接続する電源線を有する、
請求項１に記載の無線通信装置。
【請求項３】
前記第１取り付け部がマイクとスピーカとを有し、
前記報知部が前記スピーカであって、
前記制御部は、前記マイクから入力した音声信号を前記通信部を用いて送信し、外部からの音声信号を前記通信部を用いて受信して前記スピーカから出力する、
請求項１に記載の無線通信装置。
【請求項４】
前記フレキシブルプリント基板は、第１フレキシブルプリント基板と第２フレキシブルプリント基板とを有し、
前記時計本体の下面に配するものであって、かつ、前記第１フレキシブルプリント基板と前記第２フレキシブルプリント基板との間に設けられた板状の振動部本体を有し、
前記制御部は、前記着信信号を前記通信部を用いて受信したときに前記振動部本体を振動させる、
請求項１乃至３のいずれか一項に記載の無線通信装置。
【請求項５】
前記報知部が、表示部である、
請求項１乃至４のいずれか一項に記載の無線通信装置。
【請求項６】
前記表示部が、平面表示部であってタッチパネルも有し、前記制御部の操作部も兼ねている、
請求項５に記載の無線通信装置。
【請求項７】
前記制御部の操作部が、前記第１取り付け部又は前記第２取り付け部の少なくともどちらか一方に設けられている、
請求項１乃至５のいずれか一項に記載の無線通信装置。
【請求項８】
前記充電池を充電する無接点の充電装置が前記第２取り付け部に設けられ、
前記無接点の充電装置の受電体が前記フレキシブルプリント基板に設けられている、
請求項１乃至７のいずれか一項に記載の無線通信装置。
【発明の詳細な説明】
【技術分野】
【０００１】  本発明は、無線通信装置に関するものである。
【背景技術】
【０００２】  最近、腕時計型のスマートウォッチが提案されている。このスマートウォッチは、携帯電話、スマートフォン、タブレット端末（以下、まとめて「携帯端末」という）とＢｌｕｅｔｏｏｔｈで通信を行い、その携帯端末を操作したり電話をかけたりできる。このスマートウォッチは、腕時計の代わりにユーザの腕に装着したり、また、現在着けている腕時計に加えて腕に装着する必要がある。【０００３】  しかし、腕時計は嗜好品であって、個人の好みに合わせて装着されるものであるため、全てのユーザが同じスマートウォッチを取り付けることは考えられない。特に、婦人用腕時計には、装飾性が必要であり、女性がスマートウォッチを装着することも考え難い。【０００４】  そこで、特許文献１に示すように、腕時計の時計本体に取り付けられる無線通信装置が提案されている。この無線通信装置は、その本体の一端に時計バンドが連結されるバンド連結部が設けられ、前記本体の他端に腕時計のバンド連結部が連結される時計連結部が設けられている。これにより、この無線通信装置を、各ユーザが持っている腕時計にそれぞれ連結できる。
【先行技術文献】
【特許文献】
【特許文献１】  実開平２−１２８４３５号公報
【発明の概要】
【発明が解決しようとする課題】
【０００５】  しかし、上記の無線通信装置は、腕時計の時計本体と並んで連結するため、腕時計本来の外観が崩れ、装飾性が落ちるという問題点があった。また、婦人用腕時計においては、この無線通信装置を連結するには小さ過ぎて連結できないという問題点もあった。さらに、この時計本体に時計連結部を介して取り付ける必要があるため、その連結作業が非常に面倒であるという問題点もあった。【０００６】  そこで、本発明は上記問題点に鑑み、どのような腕時計にも簡単に取り付けることができ、その装飾性を損なわない無線通信装置を提供することを目的とする。
【課題を解決するための手段】
【０００７】  本発明は、腕時計に取り付ける無線通信装置であって、前記腕時計の時計本体の一方から延びる第１時計バンドに取り付ける第１取り付け部と、前記時計本体の他方から延びる第２時計バンドに取り付ける第２取り付け部と、前記第１取り付け部に設けられた報知部と、前記第１取り付け部又は前記第２取り付け部に設けられた通信部と、前記第１取り付け部又は前記第２取り付け部に設けられ、外部からの着信信号を前記通信部を用いて受信して前記報知部から報知する制御部と、前記第２取り付け部に設けられた充電池と、前記第１時計バンドと前記第２時計バンドの下面に配するものであって、かつ、前記通信部のアンテナを有する帯状のフレキシブルプリント基板と、を有する無線通信装置である。
【発明の効果】
【０００８】  本発明の無線通信装置によれば、どのような腕時計に簡単に取り付けられ、また、腕時計本来の外観を損なうことがない。
【図面の簡単な説明】
【０００９】
【図１】  本発明の実施形態に用いられる腕時計の平面図である。
【図２】  同じく腕時計の側面図である。
【図３】  実施形態１の無線通信装置の平面図である。
【図４】  腕時計に無線通信装置を取り付けた状態の正面図である。
【図５】  腕時計に無線通信装置を取り付けた状態の側面図である。
【図６】  図５におけるＡ−Ａ線断面図である。
【図７】  無線通信装置のブロック図である。
【図８】  実施形態２の無線通信装置の平面図である。
【発明を実施するための形態】
【００１０】  以下、本発明の一実施形態の無線通信装置１０について図面に基づいて説明する。
【実施形態１】
【００１１】  実施形態１の無線通信装置１０について、図１〜図７に基づいて説明する。本実施形態の無線通信装置１０は、図１及び図２に示す腕時計１に取り付けるものである。図１は腕時計１の平面図であって、図２は腕時計１の側面図である。腕時計１は、円板形の時計本体２と、その一方に取り付けられた第１時計バンド３と、他方に取り付けられた第２時計バンド４とより構成されている。なお、図面の腕時計１は、あくまでも例示であり、アナログ時計に限らずデジタル時計、第１時計バンド３と第２時計バンド４も革のベルトに限らず、金属製のベルトや鎖であってもよく、さらに、男性用腕時計に限らず婦人用腕時計であってもよい。
【００１２】（１）無線通信装置１０
無線通信装置１０について図３及び図６に基づいて説明する。
【００１３】  無線通信装置１０は、第１取り付け部１２、第２取り付け部１４、振動部１６、第１取り付け部１２と振動部１６とを接続する帯状の第１フレキシブルプリント基板（以下、「第１ＦＰＣ」という）１８と、振動部１６の他方と第２取り付け部１４とを接続する帯状の第２フレキシブルプリント基板（以下、「第２ＦＰＣ」という）２０とより構成されている。そして、図３に示すように、第１取り付け部１２、第１ＦＰＣ１８、振動部１６、第２ＦＰＣ２０、第２取り付け部１４の順番に接続されている。第１ＦＰＣ１８と第２ＦＰＣ２０は、無色透明である。
【００１４】  図３に示すように、第１取り付け部１２は、合成樹脂製であって板状の第１下板２２と板状の第１上板２４とより構成され、第１下板２２の一端と第１上板２４の一端とはヒンジ部２６を介して回動自在に連結されている。また、図３、図６に示すように、第１上板２４の他端には爪部２８が取り付けられ、第１下板２２の他端と係合する。第１上板２４には、マイク３０、スピーカ３２、操作表示部３４が設けられている。操作表示部３４は、有機ＥＬ装置又は液晶表示装置よりなる平面型の表示部と、その表示部の表面に取り付けられたタッチパネルよりなる。第１下板２２内部には、制御部３６と、外部にある携帯端末と通信を行うための通信部である送受信部３８が設けられている。なお、スピーカ３２と操作表示部３４は、電話やメールの着信があったことを示す報知部の機能も兼ねている。
【００１５】  図３に示すように、第２取り付け部１４は、合成樹脂製であって板状の第２下板４２と板状の第２上板４４とより構成され、第２下板４２の一端と第２上板４４の一端とはヒンジ部４６を介して回動自在に連結されている。また、第２上板４４の他端には爪部４８が設けられ、第２下板４２の他端と係合する。
【００１６】  第２取り付け部１４の第２下板４２及び第２上板４４には、充電池５６が内蔵されている。この充電池５６は、第２下板４２に設けられている無接点の充電装置５８を介して外部から充電される。
【００１７】  図３に示すように、振動部１６は円板形であって、第１ＦＰＣ１８と第２ＦＰＣ２０の間に設けられ、その内部に圧電素子よりなる振動部本体４０が設けられている。
【００１８】  帯状の第１ＦＰＣ１８内部には、充電池５６から振動部本体４０に電源を供給する第１電源線５０が内蔵されている。また、第１ＦＰＣ１８、振動部１６、第２ＦＰＣ２０には、充電池５６から制御部３６、送受信部３８、マイク３０、スピーカ３２及び操作表示部３４に電源を供給する第２電源線５２が内蔵されている。第１ＦＰＣ１８、振動部１６、第２ＦＰＣ２０には、第１取り付け部１２の送受信部３８に接続された直線状のアンテナ５４が内蔵されている。
【００１９】（２）無線通信装置１０の電気的構成
次に、無線通信装置１０の電気的構成について図７のブロック図に基づいて説明する。
【００２０】  制御部３６には、マイク３０、スピーカ３２、振動部１６、操作表示部３４、送受信部３８が接続されている。充電池５６は、無接点の充電装置５８に接続され、外部にある不図示の充電台に載置し、無線で充電する。すなわち、充電装置５８の受電体（受電コイル）が、不図示の充電台に設けられた送電体（送電コイル）から無線で送電される。この無接点の充電装置５８としては、例えば、無接点充電規格Ｑｉに対応したものである。充電池５６は、マイク３０、スピーカ３２、振動部本体４０、操作表示部３４、制御部３６及び送受信部３８に電源を供給する。スピーカ３２から出力された音がマイク３０に入力するとエコーがでるため、制御部３６は、エコーキャンセルも行う。なお、「エコーキャンセル」とは、スピーカ３２からマイク３０へ回り込む音響エコー成分を適応フィルタで予測し、マイク入力信号から差し引くことである。
【００２１】（３）腕時計１への取り付け方法
次に、腕時計１に無線通信装置１０を取り付ける方法について図４〜図６に基づいて説明する。
【００２２】  まず、図４と図５に示すように、腕時計１の時計本体２の下面に円板形の振動部１６を配し、第１時計バンド３の下面に第１上板２４を開いた状態の第１取り付け部１２と第１ＦＰＣ１８を配し、第２時計バンド４の下面に第２上板４４を開いた状態の第２取り付け部１４と第２ＦＰＣ２０を配する。
【００２３】  次に、図６に示すように、第１取り付け部１２の第１上板２４をヒンジ部２６を中心に回動させて爪部２８を第１下板２２の他端に係合し、第１上板２４と第１下板２２とで第１時計バンド３を挟持する。また、第２取り付け部１４の第２上板４４をヒンジ部４６を中心に回動させて爪部４８を第２下板４２の他端に係合し、第２下板４２と第２上板４４とで第２時計バンド４を挟持する。以上により、図４と図５に示すように、無線通信装置１０は、腕時計１に取り付けられた状態となる。
【００２４】  無線通信装置１０を他の腕時計１に取り付ける場合には、第１取り付け部１２と第２取り付け部１４とを第１時計バンド３と第２時計バンド４から外し、他の腕時計１に取り付ける。
【００２５】（４）無線通信装置１０の使用方法
次に、無線通信装置１０の使用方法について説明する。
【００２６】  無線通信装置１０が取り付けられた腕時計１をユーザの腕に巻き付け、第１時計バンド３と第２時計バンド４とを固定する。
【００２７】  そして、外部にある携帯端末からＢｌｕｅｔｏｏｔｈによって電話の着信があった場合には、送受信部３８がアンテナ５４を介して受信し、制御部３６が振動部１６の振動部本体４０を振動させ、スピーカ３２から着信音を出力し、さらに、操作表示部３４に着信があった旨を表示する。これによって、ユーザは電話の着信があったことを知ることができ、操作表示部３４を操作して電話を取り、マイク３０とスピーカ３２とによって、電話をかけてきた相手と会話ができる。そして、電話が終わった場合には、ユーザは操作表示部３４を操作して電話を切る。
【００２８】  また、携帯端末にメールの受信があった場合には、そのメール着信情報がＢｌｕｅｔｏｏｔｈを介して送受信部３８が受信し、制御部３６が操作表示部３４に表示すると共に、振動部１６の振動部本体４０を振動させ、スピーカ３２から着信音を出力してユーザに知らせる。これによりユーザは、操作表示部３４に表示されているメールを読むことができる。
【００２９】（５）効果
上記実施形態の無線通信装置１０であると、図４に示すように、腕時計１の下面に配され、第１ＦＰＣ１８と第２ＦＰＣ２０も無色透明であり、かつ、外側に露出しているのは第１取り付け部の第１上板２４と第２取り付け部１４の第２上板４４だけであるため、腕時計１の外観を損なうことがない。
【００３０】  また、図５に示すように、第１ＦＰＣ１８、第２ＦＰＣ２０、振動部１６、第１取り付け部１２の第１下板２２、第２取り付け部１４の第２下板４２は薄いため、腕時計１をユーザの腕に巻き付けても、無線通信装置１０を違和感なく取り付けることができる。
【００３１】  また、無線通信装置１０は、第１取り付け部１２と第２取り付け部１４とで第１時計バンド３と第２時計バンド４をそれぞれ挟持し、腕時計１の下面に配するので、どのようなタイプの腕時計１にでも取り付けることができ、例えば時計本体２が小さい婦人用腕時計にも取り付けることができ、その取り付け作業も簡単である。
【００３２】  また、無線通信装置１０は、第１取り付け部１２と第２取り付け部１４は、第１時計バンド３と第２時計バンド４をそれぞれ挟持するため、腕時計１に対し無線通信装置１０が外れたり、ずれたりすることがない。
【００３３】  また、充電池５６は、無接点の充電装置５８によって不図示の充電台に載置するだけで充電できるので、ユーザが就寝中などに充電台に置いておけば翌朝には充電が完了している。
【００３４】  また、直線状のアンテナ５４は、帯状の第１ＦＰＣ１８、振動部１６、第２ＦＰＣ２０に沿って取り付けられているため、アンテナ５４を長くすることができ、また、ユーザの腕に腕時計１を装着すると、アンテナ５４がリング状に巻かれるためアンテナ５４の感度が向上する。
【実施形態２】
【００３５】  実施形態２の無線通信装置１０について図８に基づいて説明する。本実施形態と実施形態１の異なる点は、本実施形態の無線通信装置１０は電話機能がなく、電話の着信とメールの着信があったことを示す簡易タイプである。
【００３６】  本実施形態の無線通信装置１０は、第１取り付け部１２、第２取り付け部１４、第１取り付け部１２と第２取り付け部１４とを接続する帯状のフレキシブルプリント基板（以下、「ＦＰＣ」という）６２とから構成されている。
【００３７】  第１取り付け部１２は、合成樹脂製であって板状の第１下板２２と板状の第１上板２４とより構成され、第１下板２２の一端と第１上板２４の一端とはヒンジ部２６を介して回動自在に連結されている。また、第１上板２４の他端には爪部２８が取り付けられ、第１下板２２の他端と係合する。第１上板２４には、スピーカ３２、ＬＥＤよりなる表示部６０が設けられている。第１下板２２内部には、制御部３６と、外部にある携帯端末と通信する通信部６４が設けられている。
【００３８】  第２取り付け部１４は、合成樹脂製であって板状の第２下板４２と板状の第２上板４４とより構成され、第２下板４２の一端と第２上板４４の一端とはヒンジ部４６を介して回動自在に連結されている。また、第２上板４４の他端には爪部４８が設けられ、第２下板４２の他端と係合する。第２取り付け部１４の第２下板４２及び第２上板４４には、充電池５６が内蔵されている。この充電池５６は、第２下板４２に設けられている無接点の充電装置５８を介して外部から充電される。
【００３９】  帯状のＦＰＣ６２内部には、充電池５６から制御部３６、通信部６４、スピーカ３２及び表示部６０に電源を供給する電源線５２が内蔵されている。また、ＦＰＣ６２には、第１取り付け部１２の受信部６４に接続された直線状のアンテナ５４が内蔵されている。
【００４０】  本実施形態の無線通信装置１０も実施形態１と同様に、腕時計１の下面に取り付け、電話やメールの着信があるとスピーカ３２から着信音が鳴り、表示部のＬＥＤが点灯又は点滅して、ユーザに着信があったことを知らせる。
【変更例】
【００４１】  上記実施形態の変更例について説明する。
【００４２】  実施形態１において、操作表示部３４によって、携帯端末のアプリケーションを操作できるようにしてもよい。この場合には、送受信部３８を介してＢｌｕｅｔｏｏｔｈで制御を行う。
【００４３】  また、上記実施形態では、制御部３６、送受信部３８、通信部６４を第１取り付け部１２に設けたが、これに代えて第２取り付け部１４に設けてもよい。また、操作表示部３４を第１取り付け部１２に設けたが、これに代えて第２取り付け部１４に設けてもよい。
【００４４】  また、上記実施形態ではアンテナ５４は直線状に形成したが、これに代えて帯状又は線を屈曲して面状に形成し、第１ＦＰＣ１８、振動部１６、第２ＦＰＣ２０に設けてもよい。この場合にアンテナ５４は、第１電源線５０と第２電源線５２とは、異なる層で形成する。すなわち、第１ＦＰＣ１８と第２ＦＰＣ２０とを複数のＦＰＣを重ねた層で形成し、アンテナ５４を第１電源線５０と第２電源線５２とは異なる層に形成し、互いに電気的に絶縁する。
【００４５】  また、上記実施形態では第１取り付け部１２を第１時計バンド３に挟持する構造は、第１上板２４と第１下板２２とを爪部４８で係合したが、これに代えて、フックで係止したり、ネジ止めしたり、他の構造で取り付けてもよい。第２取り付け部１４も同様である。
【００４６】  また、上記実施形態では無接点の充電装置５８を用いたが、これに代えて第２取り付け部１４に電源コードのプラグを差し込むための差し込み口を設け、電源コードを介して充電池５６を充電できるようにしてもよい。
【００４７】  また、無接点の充電装置５８の受電体（受電コイル）を、帯状の第１ＦＰＣ１８や第２ＦＰＣ２０内部に帯状に形成してもよい。この場合には、図４に示すように、第１時計バンド３と第２時計バンド４を伸ばした状態で充電台に腕時計１を載せると、より広い面積で充電台の給電体から給電を受けることができ、給電効率がよくなる。
【００４８】  また、スピーカ３２に指向性スピーカを用い、スピーカ３２の正面のみに音声が聞こえるようにすると、そのスピーカ３２の前にいるユーザのみが音声を聞くことができる。
【００４９】  また、無線通信装置１０は、携帯端末とＢｌｕｅｔｏｏｔｈで接続せず、携帯電話単体としても使用してもよい。この場合には、通信部である送受信部３８は、他の携帯電話と同様に３Ｇや４Ｇ（ＬＴＥ）などの所定の通信規格で通信を行う。
【００５０】  また、実施形態１では操作部としてタッチパネルを用いたが、これに限らず、第１取り付け部１２又は第２取り付け部１４に操作用のスイッチを設けてもよい。
【００５１】  また、実施形態１では振動部本体４０として圧電素子を用いたが、小型のモータなどのような他の振動手段でもよい。また、上記実施形態では第１ＦＰＣ１８と第２ＦＰＣ２０とは、無色透明であったが、これに限らず赤色透明、青色透明、緑色透明などの有色透明、又は、白色、黒色、赤色、青色、緑色などのファンションに合わせた色でもよい。
【００５２】  また、実施形態２の無線通信装置１０においても、実施形態１と同様に振動部本体４０を設けてもよい。
【００５３】  本発明の実施形態と変更例を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５４】１・・・腕時計、２・・・時計本体、３・・・第１時計バンド、４・・・第２時計バンド、１０・・・無線通信装置、１２・・・第１取り付け部、１４・・・第２取り付け部、１６・・・振動部、１８・・・第１フレキシブルプリント基板、２０・・・第２フレキシブルプリント基板、３２・・・スピーカ、３４・・・操作表示部、３６・・・制御部、３８・・・送受信部、５４・・・アンテナ、５６・・・充電池
【要約】      （修正有）【課題】いろいろな腕時計にも簡単に取り付けることができ、その装飾性を損なわない無線通信装置を提供する。【解決手段】腕時計１に取り付ける無線通信装置であって、第１時計バンド３に取り付ける第１取り付け部と、第２時計バンド４に取り付ける第２取り付け部１４と、第１取り付け部に設けられたマイク３０とスピーカ３２と制御部と送受信部と、第２取り付け部１４に設けられた充電池５６と、第１取り付け部と第２取り付け部１４を接続する第１ＦＰＣ１８と第２ＦＰＣ２０とを有する。【選択図】図４【図１】
0005598827.tif 000002
【図２】
0005598827.tif 000003
【図３】
0005598827.tif 000004
【図４】
0005598827.tif 000005
【図５】
0005598827.tif 000006
【図６】
0005598827.tif 000007
【図７】
0005598827.tif 000008
【図８】
0005598827.tif 000009